(57)【要約】【課題】ＬＮＧ基地においてＢＯＧが凝縮して生成されたミストのドレンを外部に廃棄しないようにして、安全性及び経済性を向上させるようにしたＢＯＧ管構造を提供する。【解決手段】ＢＯＧが流れる管路１の中途部に、他の箇所よりも高さの低いポケット部１ａを形成し、ポケット部１ａと管路１のポケット部１ａよりもＢＯＧ流れ方向下流側の部分とを、加熱コイル３が設けられた管路２により接続し、ポケット部１ａから管路２に流入したドレン５を気化させて管路１のポケット部１ａよりもＢＯＧ流れ方向下流側の部分に導入し得るよう構成する。【選択図】図１
2007132456.tif 000002
【特許請求の範囲】
【請求項１】
ＢＯＧが供給される管路の中途部に、他の箇所よりも高さの低いポケット部を形成し、該ポケット部と管路のポケット部よりもＢＯＧ流れ方向下流側の部分とを、他の管路により接続し、前記ポケット部から他の管路に流入したドレンを気化させて前記管路のポケット部よりもＢＯＧ流れ方向下流側の部分に導入し得るよう構成したことを特徴とするＢＯＧ管構造。
【請求項２】
他の管路には、加熱手段を設けた請求項１に記載のＢＯＧ管構造。
【請求項３】
他の管路には螺旋形状部が形成されている請求項１に記載のＢＯＧ管構造。
【発明の詳細な説明】
【技術分野】
【０００１】
本発明はＢＯＧ管構造に関する。
【背景技術】
【０００２】
一般に、ＬＮＧ基地においてＬＮＧ貯槽に貯蔵された液化天然ガス（ＬＮＧ）は、専用のポンプで昇圧された後、ＬＮＧ気化器において気化され、天然ガスとして需要地へ供給される。又、ＬＮＧ貯槽内においてＬＮＧから蒸発したメタンガスを主成分とするボイルオフガス（ＢＯＧ）は、例えば、ＬＮＧ貯槽から抜出されて直接圧縮機へ供給されるか、或はＢＯＧドラムを介して圧縮機へ供給され、圧縮機で昇圧された後、前記ＬＮＧ気化器において気化された天然ガスと混合して利用に供される。
【０００３】
而して、ＬＮＧ貯槽から圧縮機に至る管路又はＢＯＧドラムに至る管路等の内部でＢＯＧが凝縮して生じたドレンは、何れかに設けたドラムにドレンとして流れ込むようになっており、ＬＮＧ貯槽から圧縮機に至る管路又はＢＯＧドラムに至る管路等の内部には、ドレンが溜まらないようになっている。
【０００４】
しかしながら、上記ＬＮＧ基地においては、そのレイアウト上、ドレンをドラムに流れ込ませるような管路の配置を行なうことが困難で、管路の中途部に他部よりも低位置となるポケット部を設けなければならないことがある。この場合には、ドレンがポケット部に溜まる虞があるため、ポケット部にたまったドレンは、ドレン弁を設けて外部に排出するようにしている。
【０００５】
なお、ＬＮＧ貯槽には余剰のＢＯＧのためのフレアラインが設けられるが、フレアラインにおいてはノックアウトドラム（脈動防止のバッファ）まではポケット部を設けることができないという制約がある。
【０００６】
ＬＮＧのような低沸点液を輸送するための配管は例えば特許文献１に示されている。
【特許文献１】実開昭５８−１３３６９５号公報
【発明の開示】
【発明が解決しようとする課題】
【０００７】
しかしながら、ドレンを外部に廃棄するのは安全性の観点から好ましくなく、又、ドレンを廃棄することは、省資源的にも無駄で経済的に不利である。
【０００８】
又、特許文献１は配管のクールダウン用のミストを発生させるための装置で、ドレン処理に関するものではない。
【０００９】
本発明は、上述の実情に鑑み、ＬＮＧ基地においてＢＯＧが凝縮して生成されたドレンを外部に廃棄しないようにして、安全性及び経済性を向上させたＢＯＧ管構造を提供することを目的としてなしたものである。
【課題を解決するための手段】
【００１０】
本発明のＢＯＧ管構造は、ＢＯＧが供給される管路の中途部に、他の箇所よりも高さの低いポケット部を形成し、該ポケット部と管路のポケット部よりもＢＯＧ流れ方向下流側の部分とを、他の管路により接続し、前記ポケット部から他の管路に流入したドレンを気化させて前記管路のポケット部よりもＢＯＧ流れ方向下流側の部分に導入し得るよう構成したものである。
【００１１】
本発明のＢＯＧ管構造においては、他の管路には、加熱手段を設けたり、或は、螺旋形状部を形成することができる。
【発明の効果】
【００１２】
本発明のＢＯＧ管構造によれば、管路のポケット部に溜まったドレンは他の管路に流入して気化され、管路のポケット部よりもＢＯＧ流れ方向下流側に導入され、ＢＯＧと共に下流側へ供給されるため、ドレンを外部に廃棄する必要がなくて安全性が向上し、又、省資源を図ることができるため経済的である、という優れた効果を奏し得る。
【発明を実施するための最良の形態】
【００１３】
以下、本発明の実施の形態を添付図面を参照して説明する。
図１は本発明を実施する形態の一例であって、図中、１はＢＯＧが流通する管路、１ａは管路１の中途部に形成されたポケット部であり、ポケット部１ａは管路１の他の部分よりも低い位置に位置している。ポケット部１ａの下面には管路１よりも小径の管路２が接続されており、管路２の先端は、ポケット部よりも管路１のＢＯＧ流れ方向下流側において、ポケット部１ａよりも高い位置に接続されている。又、管路２の中途部外周には例えば圧縮機を冷却した余剰の熱源を供給して管路２を外部から加熱し得るよう、加熱コイル３が巻き回されている。図中４は、ポケット部１ａも含めて管路１の外周に装着されると共に、管路２の外周の一部に装着された保冷材、５はＢＯＧが凝縮して管路１のポケット部１ａに溜まったドレンである。
【００１４】
次に、上記した実施の形態の作動を説明する。
図示してないＬＮＧ貯槽で発生したＢＯＧは管路１を通って下流側へ供給されるが、この際ポケット部１ａを通る。このため、ポケット部１ａにはＢＯＧが凝縮したドレン５が溜まるが、このドレン５は管路２に流入して加熱コイル３に供給される基地の余剰熱源により加熱されて気化し、管路１のポケット部１ａよりもＢＯＧ流れ方向下流側へ導入され、ポケット部１ａからのＢＯＧに合流して下流側へ供給される。
【００１５】
本図示例によれば、ドレン５を外部へ廃棄する必要がないため、安全性が向上すると共に、資源の有効活用を図ることができて経済的である。
【００１６】
図２は本発明を実施する形態の他の例であって、本図示例では管路２の保冷材４を装着していない部分の中途部に螺旋形状部２ａを形成し、図１に示す加熱コイル３を設けないようにした例である。
【００１７】
斯かる構成とした場合、ポケット部１ａから管路２に流入したドレン５は、螺旋形状部２ａに対する外部よりの入熱により気化し、管路１のポケット部１ａよりもＢＯＧ流れ方向下流側へ導入され、ポケット部１ａからのＢＯＧに合流して下流側へ供給される。
【００１８】
而して、この場合も前記図示例と同様、ドレン５を外部へ廃棄する必要がないため、安全性が向上すると共に、資源の有効活用を図ることができて経済的である。又螺旋状部２ａが設けてあるため、入熱面積が増加し、加熱コイルを設けなくても、管路２中のドレン５を気化させることができる。
【００１９】
なお、図１に示す例においては、ドレンを気化させるために加熱コイルを設ける場合について説明したが、加熱コイルを設けずに外部からの入熱により気化させるようにしても実施可能なこと、その他、本発明の要旨を逸脱しない範囲内において種々変更を加え得ることは勿論である。
【図面の簡単な説明】
【００２０】
【図１】本発明のＢＯＧ管構造の一例を示す側断面図である。
【図２】本発明のＢＯＧ管構造の他の例を示す側断面図である。
【符号の説明】
【００２１】
１  管路
１ａ        ポケット部
２  管路（他の管路）
２ａ        螺旋形状部
３  加熱コイル（加熱手段）
５  ドレン
【図１】
2007132456.tif 000003
【図２】
2007132456.tif 000004